(57)【要約】【課題】  容器の内容物のほぼ一定量を小分けして排出するという操作を、計量スプーンや蓋に取り付けた計量容器を用いずに行う。【解決手段】  容器本体１と容器本体１の開口を開閉する蓋体５とを備える。容器本体１に、その内部空間を主室１５と小分け室１６とに仕切る仕切り壁１３を設ける。蓋体５を容器本体１に対し重なり状態でスライド自在とする。蓋体５に掻取り部５７を設け、蓋体５をスライドさせることによって掻取り部５７を仕切り壁１３に対峙する仕切り位置と非仕切り位置との間で変位させ得るようにする。掻取り部５７が仕切り位置に位置しているときには小分け室１６の内容物を排出することができる。掻取り部５７が非仕切り位置に位置しているときには、蓋体５の膨らみ部５４によって形成される流通空間Ｓを経て、主室１５の内容物Ｍを小分け室１６に移動させることができる。【選択図】        図３
2005053543.tif 000002
【特許請求の範囲】
【請求項１】
有底の容器本体とこの容器本体に脱着されてその容器本体の開口を開閉する蓋体とを備え、上記容器本体に収容した内容物の一部を小分けして排出することのできる計量機能を有する容器において、
上記容器本体にその内部空間を主室と小分け室とに仕切る仕切り壁が備わり、その容器本体に装着された上記蓋体が上記容器本体の開口縁に対し重なり状態でスライド自在であり、その蓋体を容器本体の開口縁に対してスライドさせることによって上記仕切り壁の上縁の全長部分に対峙する仕切り位置とその仕切り位置から偏った非仕切り位置との間で変位可能な掻取り部と、この掻取り部が仕切り位置に位置しているときに上記小分け室を開放する口部及び上記主室を閉じる蓋主部と、上記掻取り部が非仕切り位置に位置しているときに上記仕切り壁の上側に内容物の流通空間を形成して上記主室と上記小分け室とを連通させる膨らみ部及びそれらの主室と小分け室とを覆う蓋本体部とが、当該蓋体に備わり、上記蓋本体部に、上記蓋主部及び上記膨らみ部が含まれていることを特徴とする計量機能を有する容器。
【請求項２】
掻取り部が仕切り位置で上記仕切り壁の上縁の全長部分に重なり合い、かつ、その掻取り部は、上記仕切り壁の上縁と擦れあって仕切り位置と非仕切り位置との相互間で変位するようになっている請求項１に記載した計量機能を有する容器。
【請求項３】
蓋体の上記口部に、上記小分け室を開閉するための補助蓋が備わり、その補助蓋が上記蓋本体部と共に合成樹脂で一体成形されている請求項１又は請求項２に記載した計量機能を有する容器。
【請求項４】
容器本体と蓋体とのそれぞれが平面視略矩形の合成樹脂成形体でなり、蓋体が容器本体の開口縁に対して直線状経路を往復方向にスライド自在である請求項１ないし請求項３のいずれか１項に記載した計量機能を有する容器。
【請求項５】
容器本体と蓋体とのそれぞれが平面視円形の合成樹脂成形体でなり、蓋体が容器本体の開口縁に対して環状経路を往復方向にスライド自在である請求項１ないし請求項３のいずれか１項に記載した計量機能を有する容器。
【発明の詳細な説明】
【技術分野】
【０００１】
本発明は、計量機能を有する容器、詳しくは、粉粒物や小片物などを計量して排出することのできる機能を追加した計量機能を有する容器に関する。
【背景技術】
【０００２】
粉ミルク、粉石鹸、ふりかけ食品、ペットフード、茶葉、入浴剤などの粉粒物や小片物などは、それらを入れた容器から必要量を小分けして使用している。そして、小分けする手段として、従来は、一定量を計り取ることのできる計量スプーンを使って容器の内容物をすくい出したりしていた。また、内容物が液体である場合には、容器に装着したキャップ型の蓋の内部に有底筒体でなる所定容積の計量容器を取り付け、容器を倒立させてその計量容器に液体を計り取った後、容器から蓋を外して計計容器内の液体を排出するようにしたものもあった（たとえば特許文献１参照）。
【０００３】
【特許文献１】特開２００３−２００５７号公報
【発明の開示】
【発明が解決しようとする課題】
【０００４】
しかしながら、計量スプーンを使って一定量の内容物をすくい取る場合は、計量スプーンが余分に必要になり、その計量スプーンを予め容器の内部に入れて商品を提供しなければならないという煩わしさがあった。また、特許文献１に見られるように、蓋の内部に別の計量容器を取り付けたものでは、計量容器が大きいと蓋も大きくせざるを得なくなって、蓋が必要以上に大きくなりやすいという欠点があった。
【０００５】
本発明は以上の状況や欠点に鑑みてなされたものであり、それほど正確な計量を必要としないが、ある程度の目安量を小分けして排出するという操作を、計量スプーンや蓋に取り付けた計量容器を用いずに容易に行うことのできる計量機能を有する容器を提供することを目的とする。
【０００６】
また、本発明は、蓋体を容器本体に装着したままスライドさせて当該容器を振り動かすといった簡便な操作を行うだけで、内容物を小分けすることができ、小分けした内容物を排出することのできる計量機能を備えた容器を提供することを目的とする。
【０００７】
特に、本発明は、スーパーマーケットやコンビニエンスストア、その他の量販店などで食品や茶葉、入浴剤などの粉粒物や小片物を入れて販売することに汎用的に使用されている浅底のプラスチックトレイでなる蓋付き容器の形状を基本として、そのような形状の容器に内容物の小分け機能ないし計量機能を持たせることのできる計量機能を有する容器を提供することを目的とする。
【課題を解決するための手段】
【０００８】
本発明に係る計量機能を有する容器は、有底の容器本体とこの容器本体に脱着されてその容器本体の開口を開閉する蓋体とを備え、上記容器本体に収容した内容物の一部を小分けして排出することのできるものを対象としている。
【０００９】
本発明では、上記容器本体にその内部空間を主室と小分け室とに仕切る仕切り壁が備わり、その容器本体に装着された上記蓋体が上記容器本体の開口縁に対し重なり状態でスライド自在であり、その蓋体を容器本体の開口縁に対してスライドさせることによって上記仕切り壁の上縁の全長部分に対峙する仕切り位置とその仕切り位置から偏った非仕切り位置との間で変位可能な掻取り部と、この掻取り部が仕切り位置に位置しているときに上記小分け室を開放する口部及び上記主室を閉じる蓋主部と、上記掻取り部が非仕切り位置に位置しているときに上記仕切り壁の上側に内容物の流通空間を形成して上記主室と上記小分け室とを連通させる膨らみ部及びそれらの主室と小分け室とを覆う蓋本体部とが、当該蓋体に備わり、上記蓋本体部に、上記蓋主部及び上記膨らみ部が含まれている。
【００１０】
この容器では、蓋体をスライドさせてその掻取り部を容器本体の仕切り壁に対峙する仕切り位置に変位させると、仕切り壁と掻取り部とによって容器本体の小分け室が主室から遮断され、しかも、小分け室が蓋体の口部によって開放されている。そのため、容器本体を傾けるなどすると、小分け室に入っている内容物が蓋体の口部から排出される。なお、このときには、容器本体の主室が蓋体の蓋主部によって閉じられているので、主室の内容物がこぼれ落ちることはない。
【００１１】
また、蓋体をスライドさせてその掻取り部を仕切り位置から偏った非仕切り位置に変位させることによって、蓋体の膨らみ部によって形成されている内容物の流通空間を仕切り壁の上側に位置させ、その状態で容器を振り動かしたりすると、容器本体の主室に収容されている内容物が仕切り壁を乗り越えながら上記流通空間を経て小分け室に入る。なお、このときには、蓋体の蓋本体部が主室と小分け室とを覆っているので、主室や小分け室の内容物がこぼれ落ちることはない。そして、十分な量の内容物を小分け室に入れた後、蓋体をスライドさせてその掻取り部を容器本体の仕切り壁に対峙する仕切り位置に変位させると、仕切り部に入った余剰の内容物が掻取り部によって主室に戻され、小分け室にその内容積に見合った量の内容物が残り、これによって内容物が小分けされる。
【００１２】
本発明では、掻取り部が仕切り位置で上記仕切り壁の上縁の全長部分に重なり合い、かつ、その掻取り部は、上記仕切り壁の上縁と擦れあって仕切り位置と非仕切り位置との相互間で変位するようになっていることが望ましく、これによれば、小分け室によって計り取られる内容物の量の正確度が向上する。
【００１３】
本発明では、蓋体の上記口部に、上記小分け室を開閉するための補助蓋が備わり、その補助蓋が上記蓋本体部と共に合成樹脂で一体成形されている、という構成を採用することが可能であり、この構成を採用すると、小分け室に内容物を計り取った後で容器を振り動かしたりしても、その小分け室を閉じている補助蓋によって小分けされた容器がこぼれ落ちることが防止される。
【００１４】
本発明では、容器本体と蓋体とのそれぞれが平面視略矩形の合成樹脂成形体でなり、蓋体が容器本体の開口縁に対して直線状経路を往復方向にスライド自在である、とうい構成を採用することも、容器本体と蓋体とのそれぞれが平面視円形の合成樹脂成形体でなり、蓋体が容器本体の開口縁に対して環状経路を往復方向にスライド自在である、という構成を採用することも可能である。これら発明の作用については後述する実施形態を参照して詳細に説明する。
【発明の効果】
【００１５】
本発明に係る計量機能を有する容器は、容器の内容物のほぼ一定量を小分けして排出するという操作を、計量スプーンや蓋に取り付けた計量容器を用いずに容易に行うことができるので、粉ミルク、粉石鹸、ふりかけ食品、ペットフード、茶葉、入浴剤などの粉粒物や小片物などの小分けして使用するものを収容する容器としてきわめて有益である。また、蓋体を容器本体に装着したままスライドさせて当該容器を振り動かすといった簡便な操作を行うだけで、内容物を小分けすることができ、しかも、小分けした内容物を排出することができるので、使用勝手がよい。特に、本発明を、スーパーマーケットやコンビニエンスストアなどで食品や茶葉、入浴剤などの粉粒物や小片物を入れて販売することに汎用的に使用されている浅底のプラスチックトレイでなる蓋付き容器に適用すると、そのような汎用的な容器に内容物の小分け機能ないし計量機能を持たせることができるという利便がある。
【発明を実施するための最良の形態】
【００１６】
図１は本発明の実施形態に係る計量機能を有する容器Ｖの概略斜視図、図２は蓋体５の掻取り部５７を非仕切り位置にスライドさせた状態での上記容器Ｖの断面図、図３は蓋体５の掻取り部５７を仕切り位置にスライドさせた状態での上記容器Ｖの断面図である。
【００１７】
この容器Ｖは、透明なプラスチック成形体（合成樹脂成形体）でなる浅底タイプの容器本体１とこの容器本体１に脱着されてその容器本体１の開口を開閉する蓋体５とを備えている。
【００１８】
容器本体１は、平面視略矩形であって、その周囲壁１１の上縁で外側に張り出した鍔部によって開口縁１２が形成されている。そして、その長手方向中間部分に、容器本体１の内部空間を横切る仕切り壁１３が一体に備わっていて、この仕切り壁１３の上縁１３ａが周囲壁１１の開口縁１２よりも少し低位に位置している。仕切り壁１３は、容器本体１の内部空間を主室１５とその主室１５よりも内容積の小さな小分け室１６とに仕切るために形成されている。
【００１９】
蓋体５は、容器本体１の周囲壁１１に嵌合可能な略矩形環状に形作られた溝形の凹入部５１を有し、その凹入部５１の外周上端に外側へ張り出した略矩形環状の鍔部５２が備わっている。この鍔部５２は、前後方向片側部位５２ａが同方向他側部位５２ｂよりも短くなるように欠除されてその欠除箇所が口部５３として形成されている。また、蓋体５では、凹入部５１によって囲まれた箇所が膨らみ部５４として形成されている。この蓋体５は、その凹入部５１を容器本体１の周囲壁１１に嵌合させて鍔部５２の左右の各部位５２ｃ，５２ｃを容器本体１の開口縁１２に重ね合わせることによって容器本体１に装着される。この装着状態では、蓋体５の凹入部５１が容器本体１の周囲壁１１により直線状経路を前後に案内されて往復方向にスライド自在となる。そして、図２のように、蓋体５が前方へスライドされてその凹入部５１の前端が容器本体１の周囲壁１１の前端に当たった状態では、凹入部５１の前端が容器本体１の仕切り壁１３よりも前側に偏った箇所に位置し、かつ、容器本体１の主室１５と小分け室１６との全体が、凹入部５１と鍔部５２の他側部位５２ｂと膨らみ部５４とによって形成される蓋本体部５５によって覆われる。これに対し、図３のように、蓋体５が後方へスライドされてその凹入部５１の後端が容器本体１の周囲壁１１の後端に当った状態では、凹入部５１の前端が容器本体１の仕切り壁１３の上縁１３ａに重なり合い、口部５３が容器本体１の小分け室１６を開放し、凹入部５１と膨らみ部５４とによって形成される蓋主部５６が容器本体１の主室１５を閉じる。
【００２０】
ここで、蓋体５の凹入部５１の前端は掻取り部５７を形成しており、図３のようにこの掻取り部５７が容器本体１の仕切り壁１３の上縁１３ａに重なり合って対峙しているときの掻取り部５７の位置が仕切り位置である。これに対し、図２のように蓋体５を容器本体１の開口縁１２に対して前方へスライドさせることによって掻取り部５７を仕切り壁１３の前側へ偏らせたときの掻取り部５７の位置が非仕切り位置である。したがって、図３のように蓋体５を後方Ｒへスライドさせて掻取り部５７を仕切り位置にしたときには、掻取り部５７が容器本体１の仕切り壁１３に重なり合って対峙すると共に、容器本体１の小分け室１６が蓋体５の口部５３によって開放され、かつ、容器本体１の主室１５が蓋主部５６（凹入部５１と膨らみ部５４）によって閉じられる。これに対し、図２のように蓋体５を前方Ｆへスライドさせて掻取り部５７を非仕切り位置にしたときには、掻取り部５７が容器本体１の仕切り壁１３の前側に偏ると共に、仕切り壁１３の上側に、膨らみ部５４によって形成される内容物の流通空間Ｓが位置して主室１５と小分け室１６とがその流通空間Ｓによって連通し、かつ、蓋本体部５５（凹入部５１と鍔部５２の他側部位５２ｂと膨らみ部５４）が主室１５と小分け室１６とを閉じる。
【００２１】
以上のように構成された容器にＶにおいて、容器本体１には、蓋体５を取り外した状態で、粉ミルク、粉石鹸、ふりかけ食品、ペットフード、茶葉、入浴剤などの粉粒物や小片物などの流動性を備えた物が収容され、その後で、蓋体５を容器本体１に装着する。そして、店頭などではその状態で陳列される。このときには、図２のように掻取り部５７が非仕切り位置に位置して蓋体５の蓋本体部５５が容器本体１の主室１５と小分け室１６とを閉じている。
【００２２】
内容物を小分けして排出するときには、蓋体５を後方Ｒへスライドさせて掻取り部５７を図３のように仕切り位置に位置させることにより、蓋体５の口部５３で容器本体１の小分け室１６を開放してから容器Ｖを傾けるなどして小分け室５３の内容物Ｍを排出する。
【００２３】
この場合、図２のように、蓋体５の蓋本体部５５で容器本体１の主室１５と小分け室１６とを閉じているときに、小分け室１６で余剰の内容物Ｍが盛り上がっているようにときには、図３のように蓋体５を後方Ｒへスライドさせて掻取り部５７を非仕切り位置から仕切り位置まで移動させる操作により、掻取り部５７が小分け室１６で盛り上がっている余剰の内容物Ｍを仕切り壁１３を越えて主室１５側に押し戻す。そのため、図３のように口部５３が小分け室１６を開放したときには、小分け室１６にはその内容積に見合った量の内容物Ｍが入っているだけであるので、容器Ｖを傾けるなどして小分け室５３の内容積に見合う量の内容物Ｍが排出される。
【００２４】
また、内容物Ｍを小分けして排出するのに際して、小分け室１６に十分な量の内容物が入っていないようなときには、図２のように蓋体５の蓋本体部５５で容器本体１の主室１５と小分け室１６とを閉じているときに、容器Ｖを振り動かすなどして、主室１５の内容物Ｍを、膨らみ部５４によって形成されている内容物の流通空間Ｓを経て主室１５から小分け室１６に十分な量だけ送り込み、その後、蓋体５を後方Ｒへスライドさせる。
【００２５】
図４は本発明の他の実施形態に係る計量機能を有する容器Ｖの平面図、図５は図４のＶ−Ｖ線断面図、図６は蓋体５の掻取り部５７を非仕切り位置にスライドさせた状態での上記容器Ｖの断面図である。
【００２６】
この容器Ｖは、透明なプラスチック成形体（合成樹脂成形体）でなる容器本体１とこの容器本体１に脱着されてその容器本体１の開口を開閉する蓋体５とを備えている。
【００２７】
容器本体１は、平面視円形であって、その周囲壁１１の上縁で外側に張り出した鍔部によって開口縁１２が形成されている。そして、その直径方向中間部分に、容器本体１の内部空間を横切る仕切り壁１３が一体に備わっていて、この仕切り壁１３の上縁１３ａが周囲壁１１の開口縁１２よりも少し低位に位置している。仕切り壁１３は、容器本体１の内部空間を主室１５とその主室１５よりも内容積の小さな小分け室１６とに仕切るために形成されている。
【００２８】
蓋体５は、容器本体１の周囲壁１１に嵌合可能な円弧状に形作られた溝形の凹入部５１を有し、その凹入部５１の外周上端に外側へ張り出した円弧状の鍔部５２が備わっている。また、円弧状の凹入部５１の端部相互間に亘ってまっすぐな掻取り部５７が溝形に形作られていて、この掻取り部５７の外側部分が口部５３とされている。この実施形態では、口部５３に、掻取り部５７に一体に連設して延び出された板片状の補助蓋５９が配備されていて、その補助蓋５９を掻取り部５７との連設箇所ａのところで開閉することができるようになっている。
【００２９】
また、蓋体５では、円弧状の凹入部５１とまっすぐな掻取り部５７とによって囲まれた箇所が膨らみ部５４として形成されている。この蓋体５は、円弧状の凹入部５１を容器本体１の周囲壁１１に嵌合させて鍔部５２を容器本体１の開口縁１２に重ね合わせることによって容器本体１に装着される。この装着状態では、蓋体５の凹入部５１が容器本体１の周囲壁１１により環状経路を周方向に案内されて往復方向にスライド自在となる。そして、容器本体１に装着した蓋体５を回転させて特定の位置にした場合には、図４又は図５のように、蓋体５の掻取り部５７が容器本体１の仕切り壁１３の上縁１３ａに重なり合って対峙した仕切り位置となるのに対し、容器本体１に装着した蓋体５を回転させて上記した特定の位置以外の箇所にした場合には、図６のように掻取り部５７が仕切り壁１３に交差する姿勢位置に偏ったり、あるいは、図示していないけれども、掻取り部５７が仕切り壁１３から離れた位置に偏ったりする。このように掻取り部５７が仕切り壁１３から偏っているときの位置が非仕切り位置である。したがって、図４又は図５のように蓋体５を周方向にスライドさせて掻取り部５７を仕切り位置にしたときには、掻取り部５７が容器本体１の仕切り壁１３に重なり合って対峙すると共に、容器本体１の小分け室１６が蓋体５の口部５３に配備されている補助蓋６１よって閉じられ、かつ、容器本体１の主室１５が、凹入部５１と膨らみ部５４とによって形成される蓋主部５６によって閉じられる。これに対し、図６のように蓋体５を周方向にスライドさせて掻取り部５７を仕切り壁１３と交差する非仕切り位置にしたときには、仕切り壁１３の上側に、膨らみ部５４によって形成される内容物の流通空間が位置して主室１５と小分け室１６とがその流通空間Ｓによって連通し、かつ、凹入部５１と掻取り部５７と膨らみ部５４とによって形成される蓋本体部５５及び補助蓋６１が主室１５と小分け室１６とを閉じる。
【００３０】
以上のように構成された容器にＶにおいて、容器本体１には、蓋体５を取り外した状態で、粉ミルク、粉石鹸、ふりかけ食品、ペットフード、茶葉、入浴剤などの粉粒物や小片物などの流動性を備えた物が収容され、その後で、蓋体５を容器本体１に装着する。そして、店頭などではその状態で陳列される。
【００３１】
内容物を小分けして排出するときには、蓋体５を周方向にスライドさせて掻取り部５７を図４又は図５のように仕切り位置に位置させた後、図５に仮想線で示したように補助蓋６１を開いて蓋体５の口部５３で容器本体１の小分け室１６を開放してから容器Ｖを傾けるなどして小分け室５３の内容物を排出する。
【００３２】
この場合、図６のように蓋体５の蓋本体部５５及び補助蓋６１で容器本体１の主室１５と小分け室１６とを閉じているときに、小分け室１６で余剰の内容物が盛り上がっているようにときには、図４又は図５のように蓋体５を周方向にスライドさせて掻取り部５７を非仕切り位置から仕切り位置まで移動させる操作により、掻取り部５７が小分け室１６で盛り上がっている余剰の内容物を仕切り壁１３を越えて主室１５側に押し戻す。そのため、図５のように補助蓋６１を開けることによって口部５３が小分け室１６を開放したときには、小分け室１６にはその内容積に見合った量の内容物Ｍが入っているだけであるので、容器Ｖを傾けるなどして小分け室５３の内容積に見合う量の内容物が排出される。
【００３３】
また、内容物Ｍを小分けして排出するのに際して、小分け室１６に十分な量の内容物が入っていないようなときには、図６のように蓋体５の蓋本体部５５及び補助蓋６１で容器本体１の主室１５と小分け室１６とを閉じているときに、容器Ｖを振り動かすなどして、主室１５の内容物を、矢印Ｘのように、膨らみ部５４によって形成されている内容物の流通空間を経て主室１５から小分け室１６に十分な量だけ送り込み、その後、蓋体５を後方Ｒへスライドさせる。
【００３４】
なお、図１〜図６では、同一又は相応する部分に同一符号を付すことによって説明を簡略にした。
【図面の簡単な説明】
【００３５】
【図１】本発明の実施形態に係る計量機能を有する容器の概略斜視図である。
【図２】蓋体の掻取り部を非仕切り位置にスライドさせた状態での容器の断面図である。
【図３】蓋体の掻取り部を仕切り位置にスライドさせた状態での容器の断面図である。
【図４】本発明の他の実施形態に係る計量機能を有する容器の平面図である。
【図５】図４のＶ−Ｖ線断面図である。
【図６】蓋体の掻取り部を非仕切り位置にスライドさせた状態での容器の断面図である。
【符号の説明】
【００３６】
１  容器本体
５  蓋体
１２  容器本体の開口縁
１３  仕切り壁
１３ａ  仕切り壁の上縁
１５  主室
１６  小分け室
５３  口部
５４  膨らみ部
５５  蓋本体部
５６  蓋主部
５７  掻取り部
６１  補助蓋
Ｍ  内容物
Ｓ  内容物の流通空間
Ｖ  計量機能を有する容器
【図１】
2005053543.tif 000003
【図２】
2005053543.tif 000004
【図３】
2005053543.tif 000005
【図４】
2005053543.tif 000006
【図５】
2005053543.tif 000007
【図６】
2005053543.tif 000008